(57)【要約】【課題】  装着したままでも就寝可能で、特に転倒骨折の予防に有効なパッド及びプロテクターの提供。【解決手段】  柔軟性を有する非通気性素材から成り、かつ通気孔を備えた包被体内に、クッション材を封入。【選択図】  図２
2006061366.tif 000002
【特許請求の範囲】
【請求項１】
柔軟性を有する非通気性素材から成り、かつ通気孔を備えた包被体内に、クッション材が封入されていることを特徴とする衝撃緩和パッド。
【請求項２】
包被体が合成樹脂製フィルムから成り、かつ１個の通気孔を備えていることを特徴とする請求項１記載の衝撃緩和パッド。
【請求項３】
包被体の内容積が５〜２０cm3で、通気孔の直径が０．１〜１mmであることを特徴とする請求項１又は２記載の衝撃緩和パッド。
【請求項４】
クッション材がウレタンフォームであることを特徴とする請求項１〜３の何れか１項記載の衝撃緩和パッド。
【請求項５】
包被体がその外底面に面ファスナーを備えていることを特徴とする請求項１〜４の何れか１項記載の衝撃緩和パッド。
【請求項６】
請求項１〜５の何れか１項記載のパッドの複数集合体から成ることを特徴とする大腿骨頚部用プロテクター。
【請求項７】
各包被体がその底部材のみで相互に連結一体化されていることを特徴とする請求項６記載の大腿骨頚部用プロテクター。
【請求項８】
各包被体の側壁が相互に接触していることを特徴とする請求項６又は７記載の大腿骨頚部用プロテクター。
【請求項９】
各包被体が扁平六角柱状を呈していることを特徴とする請求項６〜８の何れか１項記載の大腿骨頚部用プロテクター。
【請求項１０】
転倒骨折防止用であることを特徴とする請求項６〜９の何れか１項記載の大腿骨頚部用プロテクター。
【発明の詳細な説明】
【技術分野】
【０００１】
本発明は衝撃緩和パッド及びこれを用いた大腿骨頚部用プロテクターに関する。
【背景技術】
【０００２】
従来より衝撃緩和パッドとしては、目的に応じて種々のものが実用に供されている。例えば老人等における転倒骨折を防止するためのパッドとしては、ハードシェルタイプ、衝撃吸収材タイプ、ゲルタイプ、エアーセルタイプ等が知られている。
【０００３】
しかしながら、転倒骨折、特に老人の転倒骨折は、起床の際の起き上がろうとしたときに最も発生し易いところ、上記の如き従来のパッドは何れもかさばり、装着感が悪いため、就寝時には邪魔となる結果、装着したまま就寝することは実際上は不可能と云う問題があった。そのため、起床時の転倒による骨折の予防は甚だ困難なのが実状であった。
【発明の開示】
【発明が解決しようとする課題】
【０００４】
本発明は、斯かる従来の問題と実情に鑑みてなされたもので、装着したままでも就寝することができ、転倒骨折の予防に有効なパッド及びプロテクターを提供することを課題とする。
【０００５】
本発明者は当該課題を解決すべく種々研究を重ねた結果、クッション材を、柔軟性を有する非通気性素材で包被し、かつ当該素材に通気孔を穿設すれば、転倒時のように瞬間的な衝撃を受けた場合は、通気孔から空気は殆ど抜け出ず、充分な衝撃緩和作用が得られる一方、就寝時のように緩慢連続的な加圧を受けた場合には、通気孔から空気が当該加圧に伴ない徐々に抜け出るため、クッション材が押し潰されて扁平状となるので、邪魔にならず、装着したま就寝し得ることを見い出し、本発明を完成した。
【課題を解決するための手段】
【０００６】
すなわち、本発明は、柔軟性を有する非通気性素材から成り、かつ通気孔を備えた包被体内に、クッション材を封入せしめた衝撃緩和パッドにより上記課題を解決したものである。
【０００７】
また、本発明は、上記衝撃緩和パッドの集合体から成る大腿骨頚部用プロテクターにより上記課題を解決したものである。
【発明の効果】
【０００８】
本発明の衝撃緩和パッドや大腿骨頚部用プロテクターを用いれば、就寝時にはかさばらない薄手部材となるので、装着したまま就寝することができ、特に転倒骨折の予防に有効である。
【発明を実施するための最良の形態】
【０００９】
本発明において、柔軟性を有する非通気性素材としては、特に限定されないが、例えば皮や合成樹脂フィルムが挙げられ、就中合成樹脂フィルムは成形性及びコストの点で有利である。
【００１０】
本発明において、通気孔は、瞬間的な衝撃を受けた場合には包被体内の空気を殆ど外部に排出することがない一方、緩慢連続的な加圧を受けた場合には包被体内の空気を徐々に排出するものであれば、その形設個数や直径は特に限定されないが、包被体の内容積を５〜２０cm3とした場合、直径０．１〜１mmの通気孔を１個形設するのが特に良い結果が得られる。
【００１１】
本発明において、クッション材としてはその種類の如何を問わないが、特にウレタンフォームが好適である。
【００１２】
本発明において、包被体はその外底面に更に面ファスナーを取り付けるのが、着脱操作性に優れ、より望ましい。
【００１３】
本発明において、衝撃緩和パッドは単体で使用しても良いが、複数の集合体として使用するのが、緩慢連続的な加圧に対し、順次各パッド毎に対応し得るので、特に大腿骨頚部用プロテクターとして効果的である。
【００１４】
この場合、各包被体はその底部材のみで相互に連結一体化し、他部、特に側壁はフリーな状態としておくのが、装着性及び上記の如き加圧対応性の点で望ましい。
【００１５】
また、この場合、各包被体の側壁間にはスペースがあっても良いが、当該側壁同士は相互に接触せしめておくのが、上記の如き加圧対応をよりスムースに行なうことができ有利である。
【００１６】
本発明において、包被体の形態は円柱型、角柱型等特に限定されないが、扁平六角柱状とするのが、複数集合体とした場合、上記の如き加圧対応をよりスムースに行なうことができ有利である。
【００１７】
本発明は特に転倒骨折防止用プロテクターとして効果的である。
【実施例】
【００１８】
以下実施例を示す図面と共に本発明を更に説明する。
【００１９】
図１は本発明衝撃緩和パッドの斜視説明図であり、また図２はその拡大断面説明図である。
該図１及び図２において、１０は扁平六角柱状の包被体で、底部材１１と包被材１２から構成され、その内容積は約１５cm3となっている。底部材１１と包被材１２は何れも柔軟性を有する非通気性の合成樹脂製フィルムから成り、包被材１２に比して底部材１１がやや厚手となっている。
【００２０】
Ｐは通気孔で、包被材１２の天面中央部に１個形設されており、その直径は約０．５mmとなっている。
【００２１】
２０はクッション材で、包被体１０の内容積にほぼ対応する体積のウレタンフォームから成り、包被体１０内に封入されている。
【００２２】
３０は面ファスナー（雄側）で、底部材１１の外底面に取り付けられ、下着等に取り付けられた面ファスナー（雌側）やフレンチパイル等の生地に着脱自在に装着し得るようになっている。
【００２３】
斯かる本発明衝撃緩和パッドは、転倒時のように瞬間的な衝撃を受けた場合は、通気孔Ｐから包被体１０内の空気が外部に排出される前に、すなわちクッション材２０が膨満している状態で衝撃を受けることになるため、十分な衝撃緩和作用が得られる。他方、就寝時のように緩慢連続的な加圧を受けた場合には、通気孔Ｐから包被体１０内の空気が徐々に排出されるため、これに伴ないクッション材２０も徐々に押し潰されて薄手の扁平状となり、十分な衝撃緩和作用は得られないものの、かさばらない状態となる。
【００２４】
図３は本発明大腿骨頚部用プロテクターの平面説明図である。
このプロテクターは、図１及び図２に示したパッドの複数集合体から成るもので、内部にクッション材２０を封入した１３個の包被体１０が、底部材１１のみで相互に連結一体化されている。
【００２５】
この実施例におけるパッドの複数集合体は、一枚の底部材１１上に、１３個の包被体１０を形成し、その内部にそれぞれクッション材２０を封入せしめているが、底部材１１のみで連結一体化されていれば、完全に独立成形したパッドの底部材１１同士を接着剤等で連結したものであっても良い。
【００２６】
尚、各包被体１０の側壁は、接着されてはいないものの隣接する側壁同士が接触状態となっている。
【図面の簡単な説明】
【００２７】
【図１】本発明衝撃緩和パッドの斜視説明図。
【図２】本発明衝撃緩和パッドの拡大断面説明図。
【図３】本発明大腿骨頚部用プロテクターの平面説明図。
【符号の説明】
【００２８】
１０：包被体
１１：底部剤
１２：包被材
２０：クッション材
３０：面ファスナー
Ｐ：通気孔
【図１】
2006061366.tif 000003
【図２】
2006061366.tif 000004
【図３】
2006061366.tif 000005